(57)【要約】      （修正有）【課題】光路中へのフィルタの挿脱を実現するマウントアダプタの直径方向の小型化に対応する。【解決手段】カメラ本体と交換レンズユニットとの間に設けられるマウントアダプタ３Ａ内に，交換レンズユニットからカメラ本体に向かう光の光学特性を変化させる光学フィルタ25，および光の光路Ｐから外れた位置に設けられ，光の光軸Ｌと垂直な軸を中心に回動する回動軸24が設けられている。回動軸24の周りで光学フィルタ25を回動させることによって，光学フィルタ25は光の光路Ｐから挿脱される。【選択図】図２
2014182293.tif 000002
【特許請求の範囲】
【請求項１】
カメラ本体と交換レンズユニットとの間において，上記カメラ本体および上記交換レンズユニットのそれぞれと着脱可能に設けられるマウントアダプタであって，
上記マウントアダプタ内に，上記交換レンズユニットから上記カメラ本体に向かう光の光学特性を変化させる光学フィルタ，および上記光の光路から外れた位置に設けられ，上記光の光軸と垂直な軸を中心に回動する第１の回動軸を含み，上記第１の回動軸の周りで上記光学フィルタを回動させることによって上記光学フィルタを上記光の光路から挿脱する光学フィルタ回動機構が設けられている，
マウントアダプタ。
【請求項２】
上記光学フィルタは上記第１の回動軸を中心に回動自在に設けられている，
請求項１に記載のマウントアダプタ。
【請求項３】
上記光学フィルタ回動機構は，上記第１の回動軸の回動によって駆動する回動コンベアを備え，
上記光学フィルタは上記回動コンベアに設けられている，
請求項１に記載のマウントアダプタ。
【請求項４】
複数本の上記第１の回動軸を備え，
上記複数本の第１の回動軸のそれぞれに光学フィルタが設けられている，
請求項２に記載のマウントアダプタ。
【請求項５】
上記回動コンベアに複数の光学フィルタが設けられている，
請求項３に記載のマウントアダプタ。
【請求項６】
上記光学フィルタ回動機構は，与えられる指令に応答して，上記光学フィルタを所定の回動角度位置まで回動させ，かつその角度位置に固定する回動駆動装置を備えている，
請求項１から５のいずれか一項に記載のマウントアダプタ。
【請求項７】
上記光学フィルタ回動機構は，上記光学フィルタの光入射面を上記光の光軸と垂直な方向に向けた状態で上記光学フィルタを上記光路中に位置させる第１の回動角度位置と，上記光学フィルタの光入射面を上記光の光軸と平行な方向に向けた状態で上記光学フィルタを上記光路外に位置させる第２の回動角度位置との間で，上記光学フィルタを回動駆動させるものである，
請求項６に記載のマウントアダプタ。
【請求項８】
上記光学フィルタ回動機構は，上記光学フィルタの光入射面を上記光の光軸と垂直な方向に向けた状態で上記光学フィルタを上記光路中に位置させる第１の回動角度位置と，上記第１の回動角度位置から９０度を超えて回動させて上記光学フィルタを上記光路外に位置させる第２の回動角度位置との間で，上記光学フィルタを回動駆動させるものである，
請求項６に記載のマウントアダプタ。
【請求項９】
上記マウントアダプタ内に，上記光路から外れた位置に設けられ，上記光の光軸と垂直な軸を中心に回動する第２の回動軸，および上記第２の回動軸を中心に回動自在に設けられた光反射防止部材が設けられており，
上記光学フィルタが上記第２の回動角度位置にあるときに，上記光反射防止部材によって上記光学フィルタを覆い，かつ上記光反射防止部材を光路外に位置させるように上記光反射防止部材を回動駆動させる光反射防止部材回動機構を備えている，
請求項８に記載のマウントアダプタ。
【請求項１０】
上記光反射防止部材回動機構は，上記交換レンズユニットが上記マウントアダプタに装着されていないときに，上記光反射防止部材の面部が上記光の光軸と垂直な方向を向く回動駆動位置に，上記光反射防止部材を回動駆動するものである，
請求項９のいずれか一項に記載のマウントアダプタ。
【請求項１１】
上記光学フィルタに入射する光の光路を狭める第１レンズ部材と，上記光学フィルタから出射する光の光路を広げる第２のレンズ部材を備えている，
請求項１から１０のいずれか一項に記載のマウントアダプタ。
【請求項１２】
カメラ本体からの給電を受け付ける給電受付部，
上記光学フィルタのフィルタ情報を記憶するメモリ，
上記カメラ本体からの指示に応答して上記光学フィルタを回動駆動する駆動制御部，および
上記メモリに記憶されている光学フィルタのフィルタ情報をカメラ本体に送信する送信部を備える，
請求項１から１１のいずれか一項に記載のマウントアダプタ。
【発明の詳細な説明】
【技術分野】
【０００１】
この発明は，レンズ交換式カメラに用いられるマウントアダプタに関する。
【背景技術】
【０００２】
一の規格のカメラ用交換レンズを他の規格のカメラ本体に装着するために，カメラ本体とカメラ用交換レンズとの間にアダプタを介在させることが提案されている（特許文献１〜特許文献３）。近年普及しているミラーレス一眼カメラについて言及すると，従来から存在する一眼レフカメラと近年普及しているミラーレス一眼カメラとではフランジバックが異るので，一眼レフカメラ用交換レンズをミラーレス一眼カメラにそのまま使用することができない。そこで，ミラーレス一眼カメラと一眼レフカメラ用交換レンズの間にマウントアダプタを介在させることでフランジバックの調整が図られる。一眼レフカメラ用交換レンズをミラーレス一眼カメラにも用いることができるようになる。
【先行技術文献】
【特許文献】
【０００３】
【特許文献１】特開昭５９−１５６２３４号公報
【特許文献２】特開平５−９１３８４号公報
【特許文献３】特開２０１０−１５２１４０号公報
【０００４】
特許文献１，２はまた，アダプタ内の光路中に色温度変換フィルタやＮＤフィルタを挿脱するものを記載している。
【発明の概要】
【発明が解決しようとする課題】
【０００５】
しかしながら，特許文献１，２のいずれにおいても，光軸と平行に設けられた軸の周りで色温度変換フィルタやＮＤフィルタを回転スライドさせている。光軸と平行な軸周りで色温度変換フィルタやＮＤフィルタを回転スライドさせるにはアダプタ内に比較的広い空間が必要とされ，特にアダプタの直径方向の大きさを小さくするのは難しい。
【０００６】
この発明は，光路中へのフィルタの挿脱を実現するマウントアダプタの直径方向の小型化に対応できるようにすることを目的とする。
【課題を解決するための手段】
【０００７】
この発明によるマウントアダプタは，カメラ本体と交換レンズユニットとの間において，上記カメラ本体および上記交換レンズユニットのそれぞれと着脱可能に設けられるものであって，上記マウントアダプタ内に，上記交換レンズユニットから上記カメラ本体に向かう光の光学特性を変化させる光学フィルタ，および上記光の光路から外れた位置に設けられ，上記光の光軸と垂直な軸を中心に回動する第１の回動軸を含み，上記第１の回動軸の周りで上記光学フィルタを回動させることによって上記光学フィルタを上記光の光路から挿脱する光学フィルタ回動機構が設けられていることを特徴とする。
【０００８】
この発明によると，マウントアダプタ内において，光学フィルタは，光軸と垂直に設けられた第１の回動軸の周りを回動する（時計まわりおよび反時計回りに回転する）ことで光路から挿脱（出し入れ）されるので，光軸方向の空間は要求されるものの，光軸と垂直な方向，すなわちマウントアダプタの直径方向に対応する方向の空間は比較的要求とされない。マウントアダプタの直径方向サイズの小型化に対応することができる。
【０００９】
一実施態様では，上記光学フィルタは上記第１の回動軸を中心に回動自在に設けられている。他の実施態様では，上記光学フィルタ回動機構は，上記第１の回動軸の回動によって駆動する回動コンベアを備え，上記光学フィルタは上記回動コンベアに設けられている。いずれの態様でも第１の回動軸が光軸と垂直な向きに設けられ，この第１の回動軸の周りを光学フィルタは回動するから，マウントアダプタの直径方向の空間は比較的要求されない。
【００１０】
マウントアダプタ内に複数本の上記第１の回動軸を設け，上記複数本の第１の回動軸のそれぞれに光学フィルタが設けてもよい。上記回動コンベアに複数の光学フィルタを設けてもよい。複数の光学フィルタを選択的に光路中に挿脱することができる。
【００１１】
好ましくは，光学フィルタの回動と位置決めを自動的に行う。すなわち，上記光学フィルタ回動機構は，与えられる指令に応答して，上記光学フィルタを所定の回動角度位置まで回動させ，かつその角度位置に固定する回動駆動装置を備えている。
【００１２】
一実施態様では，上記光学フィルタ回動機構は，上記光学フィルタの光入射面を上記光の光軸と垂直な方向に向けた状態で上記光学フィルタを上記光路中に位置させる第１の回動角度位置と，上記光学フィルタの光入射面を上記光の光軸と平行な方向に向けた状態で上記光学フィルタを上記光路外に位置させる第２の回動角度位置との間で，上記光学フィルタを回動駆動させるものである。９０度の角度範囲で光学フィルタは回動する。
【００１３】
他の実施態様では，上記光学フィルタ回動機構は，上記光学フィルタの光入射面を上記光の光軸と垂直な方向に向けた状態で上記光学フィルタを上記光路中に位置させる第１の回動角度位置と，上記第１の回動角度位置から９０度を超えて回動させて上記光学フィルタを上記光路外に位置させる第２の回動角度位置との間で，上記光学フィルタを回動駆動させるものである。９０度を超える角度範囲で光学フィルタを回動して，光軸と平行でない第２の回動角度位置にまで光学フィルタを回動することで，光路外に位置しているとき（第２の回動角度位置にあるとき）の光学フィルタからの反射光が外部に出射すること（特にカメラ本体に入射すること）が抑制される。
【００１４】
９０度を超える角度範囲で光学フィルタを回動させる場合，好ましくは，上記マウントアダプタ内に，上記光路から外れた位置に設けられ，かつ上記光の光軸と垂直な軸を中心に回動する第２の回動軸，および上記第２の回動軸を中心に回動自在に設けられた光反射防止部材が設けられ，上記光学フィルタが上記第２の回動角度位置にあるときに，上記光反射防止部材によって上記光学フィルタを覆い，かつ上記光反射防止部材を光路外に位置させるように上記光反射防止部材を回動駆動させる光反射防止部材回動機構をさらに備えている。光路外に位置しているときの光学フィルタが光反射防止部材によって覆われるので，光路外に位置しているときの光学フィルタからの反射光をほぼ確実に防止することができる。
【００１５】
上記光反射防止部材回動機構は，上記交換レンズユニットが上記マウントアダプタに装着されていないときに，上記光反射防止部材の面部が上記光の光軸と垂直な方向を向く回動駆動位置に，上記光反射防止部材を回動駆動するものであってもよい。マウントアダプタの開口が光反射防止部材の面部によっておおよそ閉じられるので，ゴミの侵入等を防止することができる。
【００１６】
好ましくは，マウントアダプタは上記光学フィルタに入射する光の光路を狭める第１レンズ部材と，上記光学フィルタから出射する光の光路を広げる第２のレンズ部材を備えている。第１レンズと第２レンズの間のマウントアダプタ内の光の光路が狭まるので，光学フィルタ回動機構（第１の回動軸および光学フィルタ）を小型にすることができる。マウントアダプタの直径方向のさらなる小型化に対応可能となる。
【００１７】
好ましくは，マウントアダプタは，カメラ本体からの給電を受け付ける給電受付部，上記光学フィルタのフィルタ情報を記憶するメモリ，上記カメラ本体からの指示に応答して上記光学フィルタを回動駆動する駆動制御部，および上記メモリに記憶されている光学フィルタのフィルタ情報をカメラ本体に送信する送信部を備える。カメラ本体において，マウントアダプタに設けられているフィルタの種類を把握することでき，カメラ本体を用いて，使用するフィルタの種類を選択することができる。
【図面の簡単な説明】
【００１８】
【図１】カメラシステムの外観を示す。
【図２】第１実施例のマウントアダプタの縦断面図である。
【図３】第２実施例のマウントアダプタの縦断面図である。
【図４】第３実施例のマウントアダプタの縦断面図である。
【図５】第４実施例のマウントアダプタの縦断面図である。
【図６】第４実施例の変形例のマウントアダプタに設けられる４本の回転軸の配置を示す。
【図７】第５実施例のマウントアダプタの縦断面図である。
【図８】第６実施例のマウントアダプタの縦断面図である
【図９】第７実施例のマウントアダプタの縦断面図である。
【図１０】カメラ本体によるフィルタ部材の設定処理の流れを示すフローチャートである。
【実施例１】
【００１９】
図１は第１実施例のカメラシステム１の外観を概略的に示している。
【００２０】
カメラシステム１は，撮像素子（ＣＣＤ，ＣＭＯＳ等）11，シャッタ12等を含むカメラ本体２と，マウントアダプタ３Ａと，複数のレンズ５を含む交換レンズユニット４とを備えている。カメラ本体２はたとえばミラーレスデジタル一眼カメラである。他方，交換レンズユニット４はデジタル一眼レフカメラ用交換レンズユニットである。ミラーレスデジタル一眼カメラのフランジバックはデジタル一眼レフカメラのフランジバックよりも短く，このフランジバックを調整することを目的に，カメラ本体２と交換レンズユニット４の間にマウントアダプタ３Ａが設けられ，これによりフランジバックがデジタル一眼レフカメラのフランジバックに調整される。マウントアダプタ３Ａはカメラ本体２および交換レンズユニット４のそれぞれと着脱自在である。マウントアダプタ３Ａを用いることで，様々なデジタル一眼レフカメラ用の交換レンズユニット４をミラーレスデジタル一眼カメラに用いることができる。
【００２１】
図２はマウントアダプタ３Ａの縦断面を概略的に示している。
【００２２】
マウントアダプタ３Ａの外形は円筒状であり，その内部にも円筒状の空間20が形成されている。円筒状空間20の前方（図２において右側）端部および後方（図２において左側）端部は円形に開口している。交換レンズユニット４を通過した光はマウントアダプタ３Ａの前方開口21から円筒状空間20に入り，後方開口22を通過してカメラ本体２に入射する。前方開口21の直径および後方開口22の直径はほぼ等しく，かつこれらの直径は円筒状空間20の横断面直径よりもやや小さい。マウントアダプタ３Ａ内の円筒状空間20を光が通過する範囲を光路Ｐと呼ぶ。
【００２３】
マウントアダプタ３Ａの後方端部に係合溝23Ａが形成されており，この係合溝23Ａが用いられてマウントアダプタ３Ａはカメラ本体２が着脱可能に取り付けられる。マウントアダプタ３Ａの前方端部には係合突起23Ｂが形成されており，この係合突起23Ｂが用いられてマウントアダプタ３Ａに交換レンズユニット４が着脱可能に取り付けられる。
【００２４】
マウントアダプタ３Ａの円筒状空間20内の光路Ｐの外側上方空間（光路Ｐから外れた箇所）において，カメラ本体２が接続される後方開口22の近くには，光軸Ｌと垂直な向きに設けられた回動軸24が回動自在に設けられ，この回動軸24にフィルタ部材25の一側部が固定されている。フィルタ部材25は薄い平板状のもので光路Ｐを超える大きさの面部を持つ。面部の形状（フィルタ部材25を正面から見た形状）は方形であっても，一部が円形や楕円形であってもよい。フィルタ部材25は，一方の面部（光入射面）に入射した光の光学特性を変化させ，光学特性の変化した光を他方の面部（光出射面）から出射するもので，たとえば減光（ＮＤ）フィルタ，色温度変換（ＬＢ）フィルタ，偏光（ＰＬ）フィルタなどである。
【００２５】
回動軸24は，正回転（時計回りの回転）および逆回転（反時計回りの回転）可能にマウントアダプタ３Ａの内部に軸受け（図示略）を介して支持されている。回動軸24は，たとえば円筒状空間20の光路Ｐの外側の空間に設けられた正回転および逆回転が可能な小型のステッピング・モータ51のモータ軸にギア（図示略）を介して連結されており，ステッピング・モータ51のモータ軸が回動することにより回動し，これに応じてフィルタ部材25も回動軸24を中心に正回転および逆回転し，かつ所定の回動角度位置に位置決めされる。
【００２６】
第１実施例では，フィルタ部材25の面部（光入射面および光出射面）が光軸Ｌと垂直になり，その状態においてフィルタ部材25が完全に光路Ｐ内に入る第１の回動角度位置（図２において第１の回動角度位置にあるときのフィルタ部材25を実線で示す）と，フィルタ部材25の面部が光軸Ｌと平行になり，フィルタ部材25の全体が光路Ｐの外に位置する第２の回動角度位置（図２において第２の回動角度位置にあるときのフィルタ部材25を破線で示す）との間でフィルタ部材25は回動し，かつ第１の回動角度位置および第２の回動角度位置に固定される。
【００２７】
フィルタ部材25が第１の回動角度位置にあるとき（実線），マウントアダプタ３Ａを通過する光はフィルタ部材25を通過する。フィルタ部材25によって減光，色温度変換，偏光等された光がカメラ本体２に入射する。他方，フィルタ部材25が第２の回動角度位置にあるときには（破線），フィルタ部材25は光路Ｐの外にあるので，マウントアダプタ３Ａを通過する光はフィルタ部材25を通過せずにカメラ本体２に入射する。
【００２８】
フィルタ部材25を第１の回動角度位置に位置させるか，第２の回動角度位置に位置させるか（すなわち，フィルタ部材25のオン／オフ制御）はマウントアダプタ３Ａにスイッチを設けてこのスイッチをユーザが操作することで切り換えるようにしてもよいし，カメラ本体２から駆動制御してもよい。カメラ本体２から駆動制御する場合についての詳細は後述する。
【実施例２】
【００２９】
図３は第２実施例のマウントアダプタ３Ｂを示すもので，マウントアダプタ３Ｂの縦断面図を示している。第１実施例のマウントアダプタ３Ａと同じ部材には同一符号を付し，詳細な説明を省略する。また，以下の実施例では，図示の便宜上，回動軸を回動させるためのモータ51の図示は省略するが，いずれの実施例でも回動軸を回動させるためのモータはマウントアダプタに設けられる。
【００３０】
マウントアダプタ３Ｂは，第１実施例（図２）のマウントアダプタ３Ａとはフィルタ部材25の回動範囲が異なっている。すなわち，第２実施例では，フィルタ部材25は，その面部（光入射面および光出射面）が光軸Ｌと垂直になってフィルタ部材25が光路Ｐ内に入る第１の回動角度位置（図３において第１の回動角度位置にあるときのフィルタ部材25を破線で示す）と，第１の回動角度位置から９０度を超えて回動して光路Ｐの外に位置する第２の回動角度位置（図３において第２の回動角度位置にあるときのフィルタ部材25を実線で示す）との間で回動する。フィルタ部材25が第２の回動角度位置にあるときに，フィルタ部材25の面部は光軸Ｌに対して傾きを持つので，フィルタ部材25によって反射した光がカメラ本体２（その撮像素子11）に入射してしまうことが抑制される。
【実施例３】
【００３１】
図４は第３実施例のマウントアダプタ３Ｃを示すもので，マウントアダプタ３Ｃの縦断面図を示している。図３に示す第２実施例のマウントアダプタ３Ｂとは，マウントアダプタ３Ｃの円筒状空間20内の光路Ｐの外側上方空間において，交換レンズユニット４が取り付けられる前方開口21の近くに，光軸Ｌと垂直な向きに回動軸26が設けられ，かつ回動軸26に一側部が固定されたカバー部材27が設けられている点が異なる。回動軸26も円筒状空間20の光路Ｐの外側の空間に設けられた正回転および逆回転が可能な小型のステッピング・モータ（図示略）のモータ軸にギアを介して連結されており，ステッピング・モータのモータ軸が回動することにより，カバー部材27は回動軸26を中心に正回転および逆回転し，かつ所定の回動角度位置に位置決めされる。
【００３２】
カバー部材27の表面には光反射防止膜が形成されており，カバー部材27に入射した光は光反射防止膜によって吸収されて，カバー部材27からの光反射が防止される。
【００３３】
フィルタ部材25が第２の回動角度位置に位置決めされて光路Ｐの外に位置しているとき（実線），すなわちフィルタ部材25が利用されていないときに，カバー部材27はその面部が光軸Ｌとほぼ平行となる回動角度位置に回動する。このとき，カバー部材27は光路Ｐの外に位置し，フィルタ部材25はカバー部材27によってほぼ覆われる。フィルタ部材25に光が入射しないので，フィルタ部材25からの反射光がカメラ本体２（その撮像素子11）に入射してしまうことが防止される。
【００３４】
フィルタ部材25を第２の回動角度位置（実線）から第１の回動角度位置（破線）に移動させて光路Ｐ内に位置させる場合には，はじめにカバー部材27をその面部が光軸Ｌとほぼ垂直となる角度位置に移動させ（破線），その後にフィルタ部材25を第２の回動角度位置（実線）から第１の回動角度位置（破線）に移動させて光路Ｐ内に位置させる。次に，カバー部材27は元の位置（その面部が光軸Ｌとほぼ平行となる回動角度位置）（実線）に戻される。
【００３５】
マウントアダプタ３Ｃに交換レンズユニット４が装着されていないときには，カバー部材27をその面部が光軸Ｌとほぼ垂直となる回動角度位置（破線）に移動させてもよい。カバー部材27によってマウントアダプタ３Ｃの前方開口21がほぼ閉じられるので，マウントアダプタ３Ｃの内部へのゴミの侵入を抑制することができる。
【実施例４】
【００３６】
図５は第４実施例のマウントアダプタ３Ｄを示している。図２に示すマウントアダプタ３Ａとは，マウントアダプタ３Ｄの円筒状空間20内の光路Ｐの外側上方空間のみならず，光路Ｐの外側下方空間にも光軸Ｌと垂直にのびる回動軸24ｂが設けられている点，上記回転軸24ｂにもフィルタ部材25ｂが固定されている点が異なる。
【００３７】
回転軸24ｂも，マウントアダプタ３Ｄの円筒状空間20に設けられるモータ（図示略）によって回動され，これによりフィルタ部材25ｂも第１の回動角度位置（実線）および第２の回動角度位置（破線）の間を回動軸24ｂを中心に回動する。フィルタ部材25ａ，25ｂはそれぞれ独立して回動される。フィルタ部材25ａのみを第１の回動角度位置に位置決めし（実線），フィルタ部材25ｂは第２の回動角度位置に位置決めする（破線）ことで，フィルタ部材25ａのみを光路Ｐ中に位置させることもできるし，その逆も可能である。図５に示すように，フィルタ部材25ａ，25ｂの両方を第１の回動角度位置に位置決めして（実線），フィルタ部材25ａ，25ｂの両方を光路Ｐ中に位置させることもできる。
【００３８】
３つのフィルタ部材ないし４つのフィルタ部材を，マウントアダプタ３Ｄの円筒状空間20内に設けることも可能である。図６を参照して，図６はマウントアダプタ３Ｄに４つのフィルタ部材を設ける場合の，４本の回動軸24ａ，24ｂ，24ｃおよび24ｄと光路Ｐとの位置関係を示している。光路Ｐの外側上方空間および外側下方空間に，図５と同様に回転軸24ａ，24ｂがそれぞれ設けられており，これに加えてさらに光路Ｐの外側左空間および外側右空間にも，それぞれ回転軸24ｃ，24ｄがそれぞれ設けられている（フィルタ部材の図示は省略されている）。図６に示すように，光路Ｐの上方，下方，左方および右方空間に，光軸Ｌと垂直に４本の回動軸24ａ〜24ｄをそれぞれ設け，４本の回転軸24ａ〜24ｄのそれぞれにフィルタ部材を固定することによって，４つのフィルタ部材のそれぞれ，または４枚のフィルタ部材のうちの複数枚（２枚〜４枚）を，光路Ｐ中に選択的に位置させることができる。
【実施例５】
【００３９】
図７は第５実施例のマウントアダプタ３Ｅを示すもので，マウントアダプタ３Ｅの縦断面図を示している。第１実施例のマウントアダプタ３Ａ（図２）とは，マウントアダプタ３Ｅの前端部および後端部のそれぞれに１対のレンズ28，29が設けられている点，回動軸24およびフィルタ部材25の大きさ（寸法）が小さい点が異なる。
【００４０】
１対のレンズ28，29のうち，マウントアダプタ３Ｅの前端部に設けられているレンズ28は光路径を縮小する縮小レンズであり，他方マウントアダプタ３Ｅの後端部に設けられているレンズ29は光路径を拡大する拡大レンズである。縮小レンズ28によって光路径が縮小されるので，マウントアダプタ３Ｅの円筒状空間20を通る光路Ｐが狭められる。このため，光路Ｐに挿脱されるフィルタ部材25として小さい寸法を持つものを利用することができる。フィルタ部材25によって光学特性が変化した光は拡大レンズ29によって拡大されてカメラ本体２に向けて出射される。
【実施例６】
【００４１】
図８は第６実施例のマウントアダプタ３Ｆを示すもので，マウントアダプタ３Ｆの縦断面図を示している。図７に示す第５実施例のマウントアダプタ３Ｅとは，マウントアダプタ３Ｆの前端部および後端部に設けられている縮小レンズ28Ａ，29Ａの厚さが厚く，光路Ｐの範囲がさらに狭められている点，およびフィルタ部材を回動させる回動機構が異なる。
【００４２】
マウントアダプタ３Ｆの円筒状空間20内の光路Ｐの外側上方空間に，光軸Ｌと垂直に２本の回動軸24ａおよび24ｂが上下方向に間隔をあけて回動自在に設けられており，これらの２本の回動軸24ａ，24ｂに環状のコンベアベルト31がかけられている。回動軸24ａ，24ｂの一方または両方がモータ（図示略）のモータ軸に連結されており，モータ軸が回動することによってコンベアベルト31は駆動する。
【００４３】
コンベアベルト31に，６つのフィルタ部材25ａ〜25ｆが等間隔をあけて外方に突出して固定されている。コンベアベルト31が駆動することで，フィルタ部材25ａ〜25ｆは回動軸24ａ，24ｂの周りを回転し，６つのフィルタ部材25ａ〜25ｆのうちの１つを，光路Ｐ中に位置決めすることができる。６つのフィルタ部材25ａ〜25ｆとしてそれぞれ光学特性の異なるものを設けることで，様々な光学特性を与えることができる。
【実施例７】
【００４４】
図９は第７実施例のマウントアダプタ３Ｇを示すもので，カメラ本体２に取り付けられている状態のマウントアダプタ３Ｇの縦断面を示している。
【００４５】
カメラ本体２の前面のマウント部14がマウントアダプタ３Ｇの係合溝（マウント部）23Ａにはめ込まれることでカメラ本体２にマウントアダプタ３Ｇが装着される。マウントアダプタ３Ｇの前端部には環状の接点段部38が形成され，この接点段部38の先端に複数の接点端子39（図９では１つの接点端子39のみ示す）が設けられている。接点端子39は信号線36を介してマウントアダプタ３Ｇ内の円筒状空間20内に設けられた基板37に接続されている。
【００４６】
他方，カメラ本体２の前面にも複数の接点端子13が設けられている（図９では１つの接点端子13のみを破線で示す）。カメラ本体２にマウントアダプタ３Ｇが装着されると，カメラ本体２の複数の接点端子13とマウントアダプタ３Ｇの複数の接点端子39とがそれぞれ電気的に接触する。
【００４７】
基板37は，上述したステッピング・モータを駆動するモータ駆動回路（図示略），フィルタ部材25の種類やフィルタ部材25の光学特性を表すパラメータ等を記憶したメモリ（図示略），基板37上に設けられている電子回路やメモリを制御する処理装置（図示略）等を備える。カメラ本体２の接点端子13とマウントアダプタ３Ｇの接点端子39とが電気的に接触することで，カメラ本体２から上記基板37（基板37上の電子回路，メモリ等）への給電，カメラ本体２からマウントアダプタ３Ｇへのデータ信号の送信，マウントアダプタ３Ｇからカメラ本体２へのデータ信号の送信等が行われる。
【００４８】
図１０は図９に示すカメラ本体２側の接点端子13とマウントアダプタ３Ｇ側の接点端子39とによってカメラ本体２とマウントアダプタ３Ｇとが電気的に接続される実施例における，カメラ本体２によるマウントアダプタ３Ｇの制御処理の流れを示すフローチャートである。
【００４９】
はじめにマウントアダプタ３Ｇが装着されているかどうかが判断される（ステップ41）。マウントアダプタ３Ｇが装着されていない場合には，当然ではあるがカメラ本体２によってマウントアダプタ３Ｇの制御は行われない（ステップ41でNO）。
【００５０】
マウントアダプタ３Ｇがカメラ本体２に装着されている場合，マウントアダプタ３Ｇに搭載されているフィルタ部材25のフィルタ情報，たとえばフィルタの種類（減光フィルタであるか，色温度フィルタであるか，偏光フィルタであるか），光学特性を表すパラメータ（たとえば，減光フィルタであればＮＤ２，ＮＤ４，ＮＤ８といった減光の程度を表す値など）がマウントアダプタ３Ｇの基板37に設けられているメモリから読み出されて，カメラ本体２によって受信される（ステップ41でYES，ステップ42）。もちろん，マウントアダプタが複数のフィルタ部材を備えるものであれば，複数のフィルタ部材のそれぞれについてのフィルタ種類，光学特性を表すパラメータなどがカメラ本体２によって受信される。
【００５１】
カメラ本体２が備える表示装置にマウントアダプタメニュー（図示略）が表示され，表示されたメニューの中からユーザによってフィルタ部材25の利用の有無が選択される。マウントアダプタが複数のフィルタ部材を備えていれば，その中のいずれのフィルタ部材を用いるかも選択される（ステップ43，44）。
【００５２】
フィルタ部材25の利用の有無を表すデータ，またはマウントアダプタが複数のフィルタ部材を備えていれば複数のフィルタ部材のうちの一のフィルタ部材を特定するデータ（フィルタ特定データ）が，カメラ本体２からマウントアダプタ３Ｇに送信され，これに応じてマウントアダプタ３Ｇはフィルタ部材25を回動させ，フィルタ部材25を第１の回動角度位置（光路Ｐ内）に位置させる（ステップ45，46）。もちろん，これとは逆に，フィルタ部材25を第２の回動角度位置（光路Ｐ外）に回動させることもできる。
【００５３】
フィルタ部材25の利用の有無を表すデータは，上述したユーザによる指示に代えて，または加えて，カメラ本体２における種々の設定や検出値に連動してカメラ本体２からマウントアダプタ３Ｇに送信するようにしてもよい。たとえば，カメラ本体２において手動でまたは自動的に選択される撮影シーンの種類（夜景シーン，人物シーン，逆光シーンなど）に連動して，特定の撮影シーンがカメラ本体２において選択されたときにカメラ本体２からマウントアダプタ３Ｇにフィルタ部材25を利用する指示を表すデータが送信される。撮影パラメータ（たとえば露出値）が所定の閾値を超えたときに，カメラ本体２からマウントアダプタ３Ｇにフィルタ部材25を利用する指示を表すデータを送信するようにしてもよい。被写体の撮影環境に応じたフィルタ部材25のオン／オフ制御が実現される。マウントアダプタが複数のフィルタ部材を備えている場合にカメラ本体２からマウントアダプタに送信されるフィルタ部材を特定するデータについても，上述と同様にして，カメラ本体２における種々の設定や検出値に連動して，カメラ本体２からマウントアダプタ３Ｇに送信するようにしてもよい。
【符号の説明】
【００５４】
１  カメラシステム
２  カメラ本体
３Ａ，３Ｂ，３Ｃ，３Ｄ，３Ｅ，３Ｆ，３Ｇ  マウントアダプタ
４  交換レンズユニット
24，24ａ，24ｂ，24ｃ，24ｄ，26  回動軸
25，25ａ，25ｂ，25ｃ，25ｄ，25ｅ，25ｆ  フィルタ部材
28，28Ａ  縮小レンズ
29，29Ａ  拡大レンズ
37  基板
39  接点端子
51  モータ
Ｐ  光路
Ｌ  光軸
【図１】
2014182293.tif 000003
【図２】
2014182293.tif 000004
【図３】
2014182293.tif 000005
【図４】
2014182293.tif 000006
【図５】
2014182293.tif 000007
【図６】
2014182293.tif 000008
【図７】
2014182293.tif 000009
【図８】
2014182293.tif 000010
【図９】
2014182293.tif 000011
【図１０】
2014182293.tif 000012